(57)【特許請求の範囲】
【請求項１】
被計量物の供給及び取出しが、それぞれ手動で行われ、供給される被計量物の重量をそれぞれ計量する複数の計量部と、
各計量部によってそれぞれ計量される被計量物の各重量が、所定重量範囲に対して、軽量、適量、過量のいずれであるかをそれぞれ判定する判定部と、
前記複数の計量部に個別的に対応すると共に、前記判定部による判定結果を、対応する計量部毎に報知する複数の報知部とを備え、
前記判定部は、前記複数の計量部の内、前記軽量であると判定された計量部の被計量物の重量と、前記過量であると判定された計量部の被計量物の重量との間に、当該軽量であると判定された計量部及び当該過量であると判定された計量部を、前記適量であると判定される計量部とするために有用な重量関係が成立するか否かを判定するものであり、
前記報知部は、前記判定部によって、前記有用な重量関係が成立すると判定されたときに、前記有用な重量関係が成立する、前記軽量であると判定された計量部及び前記過量であると判定された計量部を報知する、
ことを特徴とする計量装置。
【請求項２】
前記有用な重量関係は、前記軽量であると判定された計量部の被計量物の重量と、前記過量である判定された計量部の重量とを加算した加算重量の１／２が、前記所定重量範囲となる第１の有用な重量関係である、
請求項１に記載の計量装置。
【請求項３】
前記複数の計量部の内、前記第１の有用な重量関係が成立する、前記軽量であると判定された計量部と前記過量である判定された計量部との組が、複数組存在するときには、前記複数の報知部は、前記第１の有用な重量関係が成立する前記複数組の内、前記軽量であると判定された計量部と前記過量である判定された計量部とが、最も近接した位置にある組を報知する、
請求項２に記載の計量装置。
【請求項４】
前記複数の計量部の内、前記第１の有用な重量関係が成立する、前記軽量であると判定された計量部と前記過量である判定された計量部との組が、複数組存在するときには、前記複数の報知部は、前記第１の有用な重量関係が成立する前記複数組の組毎に、報知の態様を異ならせる、
請求項２に記載の計量装置。
【請求項５】
前記複数の計量部に供給される前記被計量物が収納された収納容器内の被計量物の重量を計量する外部秤を備え、
前記判定部は、前記外部秤で計量される被計量物の減少重量を、前記収納容器から前記複数の計量部へ供給される被計量物の供給重量とし、該供給重量と、前記複数の計量部の内、前記軽量であると判定された計量部の被計量物の重量との間に、当該軽量であると判定された計量部を、前記適量であると判定される計量部とするために有用な第２の有用な重量関係が成立するか否かを判定するものであり、
前記報知部は、前記判定部によって、前記第２の有用な重量関係が成立すると判定されたときに、前記第２の有用な重量関係が成立する、前記軽量であると判定された計量部を報知する、
請求項１ないし４のいずれかに記載の計量装置。
【請求項６】
前記第２の有用な重量関係が、前記供給重量と、前記軽量であると判定された計量部の被計量物の重量とを加算した加算重量が、前記所定重量範囲となる重量関係である、
請求項５に記載の計量装置。
【請求項７】
前記判定部は、前記供給重量と、前記複数の計量部の内、前記軽量であると判定された２つの計量部の被計量物の各重量との間に、当該軽量であると判定された前記２つの計量部を、前記適量であると判定される計量部とするために有用な第３の有用な重量関係が成立するか否かを判定するものであり、
前記報知部は、前記判定部によって、前記第３の有用な重量関係が成立すると判定されたときに、前記第３の有用な重量関係が成立する、前記軽量であると判定された前記２つの計量部を報知する、
請求項５または６に記載の計量装置。
【請求項８】
前記第３の有用な重量関係は、前記供給重量と、前記軽量である判定された前記２つの計量部の被計量物の各重量とを加算した加算重量の１／２が、前記所定重量範囲となる重量関係である、
請求項７に記載の計量装置。
【請求項９】
前記判定部は、前記所定重量範囲を定める下限重量と前記軽量であると判定された計量部の被計量物の重量との重量差、及び、前記所定重量範囲を定める上限重量と前記過量であると判定された計量部の被計量物の重量との重量差を判定するものであり、
前記報知部は、前記軽量であると判定された計量部及び前記過量であると判定された計量部を、前記判定部によって判定された前記重量差に応じてそれぞれ報知する、
請求項１ないし８のいずれかに記載の計量装置。
【請求項１０】
前記複数の各計量部は、前記被計量物が供給される計量皿を有し、
前記複数の各報知部は、前記計量皿の近傍に配置される表示灯であり、
当該計量装置が、複数の前記計量皿に供給される被計量物の重量を種々組合せた組合せ重量が、許容重量範囲となる前記計量皿の適量組合せを選択する組合せ演算を行って、前記適量組合せの計量皿を、前記表示灯で報知することが可能な組合せ秤である、
請求項１ないし９のいずれか記載の計量装置。
【発明の詳細な説明】
【技術分野】
【０００１】
本発明は、被計量物を計量する計量装置に関し、更に詳しくは、所定重量範囲の被計量物を、トレーや袋等の容器にパック詰めするのに好適な計量装置に関する。
【背景技術】
【０００２】
従来から、食品等を生産する生産工場、スーパーマーケット等において、所定重量範囲の被計量物を、トレーや袋などの容器にパック詰めするために計量装置が用いられている。
【０００３】
多くの場合、組合せ秤が所定重量範囲の被計量物の定量パックを生産するために利用されている。
【０００４】
組合せ秤は、複数の計量器を有し、各計量器によって計量される被計量物の重量を種々組合せた組合せ重量である合計重量が、所定重量範囲であって、かつ、目標組合せ重量に等しいか最も近い重量の組合せを、適量組合せとして選択する組合せ演算を行う計量装置である。
【０００５】
ところで、形態が不揃いであったり、傷つき易く、傷つくと商品価値が低下するような被計量物、例えば、人参、キノコ、明太子等といったような被計量物の場合には、組合せ秤の計量器への供給、及び、計量器からの取り出し（排出）を自動的に行うのは困難である。
【０００６】
このため、かかる被計量物の場合には、計量器への被計量物の供給、及び、計量器からの被計量物の取り出しを、作業者の手作業によって行う手動式の組合せ秤が使用される。
【０００７】
手動式の組合せ秤では、作業者が手作業で被計量物を各計量器に供給し、組合せ秤は、上記ように組合せ演算を行って適量組合せの複数の計量器を選択する。組合せ秤は、選択した適量組合せの各計量器を作業者に指示するために、例えば、選択された各計量器に個別的に対応する各表示灯をそれぞれ点灯させる。これによって作業者は、表示灯が点灯している各計量器の被計量物を手作業でそれぞれ取り出し、トレー等の容器に集めてパック包装する。
【０００８】
このように組合せ秤では、組合せ演算によって適量組合せとして選択された複数の各計量器の被計量物を、それぞれ取り出して１つの容器に集める作業が必要となる。
【０００９】
このため、例えば、カットねぎのような刻み野菜、ポテトサラダのような惣菜類といった個数単位で取り扱うことが困難で、かつ、付着性を有する被計量物の場合には、組合せ演算によって適量組合せとして選択され複数の各計量器から被計量物を、残らないようにきれいにそれぞれ取り出して１つの容器に集める作業が必要となり、手間のかかる面倒な作業となる。
【００１０】
組合せ秤には、例えば、特許文献１に示すように、組合せ演算を行わず、各計量器でそれぞれ計量を行なえるようにしたものもある。
【先行技術文献】
【特許文献】
【００１１】
【特許文献１】特開２００８−１０７１８０号公報
【発明の概要】
【発明が解決しようとする課題】
【００１２】
しかしながら、特許文献１の計量装置は、例えば、トマトのような被計量物を、所定個数パックした商品を生産するものであり、個数単位で被計量物を計量器に供給することを前提としており、上記のようなカットねぎのような刻み野菜、ポテトサラダのような惣菜類といった個数単位で取り扱うことが困難であって、かつ、付着性を有する被計量物の計量に適用することはできない。
【００１３】
このため、従来では、個数単位で取り扱うことが困難であって、かつ、付着性を有する被計量物の定量パックを生産する場合には、手動式の組合せ秤を使用せずに、作業者は、上皿秤等の計量装置のように１つの計量皿に、トレー等の容器を載せて容器の風袋補正を行い、重量表示を見ながら、所定重量範囲となるように、被計量物を計量皿上の容器に手作業で供給するという計量作業を行っている。
【００１４】
この計量方法では、作業者は、重量表示を見て、被計量物の重量が所定重量範囲になったか否かを確認する必要があり、また、表示値を見誤る場合もある。更に、一人の作業者が、１つの計量皿に被計量物を供給して定量パックを生産するので、定量パックの生産量を上げるためには、計量装置の台数と作業者の数を増やす必要がある。
【００１５】
本発明は、上記のような点に鑑みてなされたものであって、個数単位で取り扱うことが難しく、かつ、付着性のある被計量物の計量作業の効率を高めることを目的とする。
【課題を解決するための手段】
【００１６】
上記目的を達成するために、本発明では次のように構成している。
【００１７】
（１）本発明の計量装置は、被計量物の供給及び取出しが、それぞれ手動で行われ、供給される被計量物の重量をそれぞれ計量する複数の計量部と、各計量部によってそれぞれ計量される被計量物の各重量が、所定重量範囲に対して、軽量、適量、過量のいずれであるかをそれぞれ判定する判定部と、前記複数の計量部に個別的に対応すると共に、前記判定部による判定結果を、対応する計量部毎に報知する複数の報知部とを備え、前記判定部は、前記複数の計量部の内、前記軽量であると判定された計量部の被計量物の重量と、前記過量であると判定された計量部の被計量物の重量との間に、当該軽量であると判定された計量部及び当該過量であると判定された計量部を、前記適量であると判定される計量部とするために有用な重量関係が成立するか否かを判定するものであり、前記報知部は、前記判定部によって、前記有用な重量関係が成立すると判定されたときに、前記有用な重量関係が成立する、前記軽量であると判定された計量部及び前記過量であると判定された計量部を報知する。
【００１８】
本発明の計量装置によると、被計量物が供給された複数の各計量部は、所定重量範囲に対して、軽量、適量、過量のいずれであるかが、各計量部に個別的に対応する複数の各報知部によって報知されるので、軽量である計量部には、被計量物を追加し、過量である計量部からの被計量物の一部を取り除くことによって、適量な計量部とすることができ、複数の計量部毎に、被計量物の重量を適量にすることができる。
【００１９】
これによって、組合せ演算を行って計量する場合のように、所定重量範囲となる適量組合せに選択された複数の計量部の被計量物を、１つに集める作業が不要となり、例えば、個数単位で取り扱うことが困難であって、かつ、付着性を有する被計量物のように、１つに集める作業に手間がかかる被計量物であっても、容易に計量することができる。
【００２０】
しかも、上皿秤等の計量装置のように１つの計量部で重量表示を見ながら計量する場合のように、作業者自身が所定重量範囲になったか否かを目視確認する必要がなく、また、複数の計量部でそれぞれ計量するので、効率的に計量することができる。
【００２１】
更に、軽量の計量部及び過量の計量部の内、それら計量部を適量な計量部にするために、有用な重量関係が成立する計量部については、それが報知されるので、作業者は、有用な重量関係が成立している軽量の計量部及び過量の計量部を認識することができ、作業者は、両計量部の被計量物の重量を調整することによって、両計量部の間に成立する有用な重量関係を利用して、効率的に適量の計量部にすることができる。
【００２２】
（２）本発明の好ましい実施態様では、前記有用な重量関係は、前記軽量であると判定された計量部の被計量物の重量と、前記過量である判定された計量部の重量とを加算した加算重量の１／２が、前記所定重量範囲となる第１の有用な重量関係である。
【００２３】
この実施態様によると、第１の有用な重量関係は、軽量の計量部の被計量物の重量と、過量の計量部の被計量物の重量とを加算した加算重量の１／２が、所定重量範囲となる、すなわち、軽量の計量部の被計量物の重量と、過量の計量部の被計量物の重量とを加算した加算重量が、適量の計量部の２つ分の被計量物の重量となる。
【００２４】
したがって、第１の有用な重量関係が成立している、過量の計量部の被計量物の一部を取り除いて、軽量の計量部に追加することで、２つの計量部を、共に適量の計量部にすることができる。
【００２５】
第１の有用な重量関係が成立している、軽量の計量部と過量の計量部とは、作業者に報知されるので、作業者は、過量の計量部の被計量物の一部を、軽量の計量部に移し替えることによって、２つの計量部を、共に適量の計量部にすることができ、効率的な計量作業となる。
【００２６】
（３）本発明の好ましい他の実施態様では、前記複数の計量部の内、前記第１の有用な重量関係が成立する、前記軽量であると判定された計量部と前記過量である判定された計量部との組が、複数組存在するときには、前記複数の報知部は、前記第１の有用な重量関係が成立する前記複数組の内、前記軽量であると判定された計量部と前記過量である判定された計量部とが、最も近接した位置にある組を報知する。
【００２７】
この実施態様によると、第１の有用な重量関係が成立する、軽量の計量部と過量の計量部との組が、複数組存在するときには、作業者にとって被計量物の移し替え作業が行い易い、軽量の計量部と過量の計量部とが最も近接した位置にある組が報知される。
【００２８】
（４）本発明の計量装置の他の実施態様では、前記複数の計量部の内、前記第１の有用な重量関係が成立する、前記軽量であると判定された計量部と前記過量である判定された計量部との組が、複数組存在するときには、前記複数の報知部は、前記第１の有用な重量関係が成立する前記複数組の組毎に、報知の態様を異ならせる。
【００２９】
この実施態様によると、第１の有用な重量関係が成立する、軽量の計量部と過量の計量部との組が、複数組存在するときには、組毎に報知の態様が異なるので、作業者は、第１の有用な重量関係が成立する、軽量の計量部と過量の計量部との複数組を、組毎に認識することができる、すなわち、どの過量の計量部の被計量物を、どの軽量の計量部に移し替えればよいかを認識することができる。
【００３０】
（５）本発明の計量装置の好ましい実施態様では、前記複数の計量部に供給される前記被計量物が収納された収納容器内の被計量物の重量を計量する外部秤を備え、前記判定部は、前記外部秤で計量される被計量物の減少重量を、前記収納容器から前記複数の計量部へ供給される被計量物の供給重量とし、該供給重量と、前記複数の計量部の内、前記軽量であると判定された計量部の被計量物の重量との間に、当該軽量であると判定された計量部を、前記適量であると判定される計量部とするために有用な第２の有用な重量関係が成立するか否かを判定するものであり、前記報知部は、前記判定部によって、前記第２の有用な重量関係が成立すると判定されたときに、前記第２の有用な重量関係が成立する、前記軽量であると判定された計量部を報知する。
【００３１】
この実施態様によると、収納容器から取り出されて計量部へ供給される被計量物の供給重量と、軽量の計量部の被計量物の重量との間に、当該軽量の計量部を適量な計量部にするために有用な第２の有用な重量関係が成立するときには、その軽量の計量部が報知されるので、作業者は、第２の有用な重量関係が成立している軽量の計量部を認識することができ、作業者は、軽量の計量部の被計量物の重量を、収納容器から供給する被計量物の供給重量で調整することによって、第２の有用な重量関係を利用して、効率的に適量の計量部にすることができる。
【００３２】
（６）本発明の計量装置の他の実施態様では、前記第２の有用な重量関係が、前記供給重量と、前記軽量であると判定された計量部の被計量物の重量とを加算した加算重量が、前記所定重量範囲となる重量関係である。
【００３３】
この実施態様によると、第２の有用な重量関係は、収納容器から取り出されて計量部へ供給される被計量物の供給重量と、軽量の計量部の被計量物の重量とを加算した加算重量が、所定重量範囲となる重量関係であるので、作業者は、収納容器から取り出した被計量物を、第２の有用な重量関係が成立して報知されている軽量の計量部に追加供給することで、軽量の計量部を、適量の計量部にすることができる。
【００３４】
（７）本発明の計量装置の別の実施態様では、前記判定部は、前記供給重量と、前記複数の計量部の内、前記軽量であると判定された２つの計量部の被計量物の各重量との間に、当該軽量であると判定された前記２つの計量部を、前記適量であると判定される計量部とするために有用な第３の有用な重量関係が成立するか否かを判定するものであり、前記報知部は、前記判定部によって、前記第３の有用な重量関係が成立すると判定されたときに、前記第３の有用な重量関係が成立する、前記軽量であると判定された前記２つの計量部を報知する。
【００３５】
この実施態様によると、収納容器から取り出されて計量部に供給される被計量物の供給重量と、２つの軽量の計量部の被計量物の各重量との間に、前記２つの軽量の計量部を、適量な計量部にするために有用な第３の有用な重量関係が成立するときには、前記２つの軽量の計量部が報知されるので、作業者は、第３の有用な重量関係が成立している２つの軽量の計量部を認識することができ、作業者は、２つの軽量の計量部の被計量物の重量を、収納容器から取り出して供給する被計量物の供給重量で調整することによって、第３の有用な重量関係を利用して、２つの軽量の計量部を、効率的に２つの適量の計量部にすることができる。
【００３６】
（８）本発明の計量装置の他の実施態様では、前記第３の有用な重量関係は、前記供給重量と、前記軽量である判定された前記２つの計量部の被計量物の各重量とを加算した加算重量の１／２が、前記所定重量範囲となる重量関係である。
【００３７】
この実施態様によると、第３の有用な重量関係は、収納容器から取り出されて計量部へ供給される被計量物の供給重量と、２つの軽量の計量部の被計量物の各重量とを加算した加算重量の１／２が、所定重量範囲となる、すなわち、収納容器から供給される被計量物の供給重量と、２つの軽量の計量部の被計量物の重量とを加算した加算重量が、適量の計量部の２つ分の被計量物の重量となる重量関係である。
【００３８】
したがって、作業者が、収納容器から取り出した被計量物を、第３の有用な重量関係が成立している、２つの軽量の計量部の内、いずれか一方の軽量の計量部に追加することで、この一方の計量部が過量の計量部となり、この過量の計量部の被計量物の重量と、他方の軽量の計量部の被計量物の重量との間に、上記第１の有用な重量関係が成立することになり、この第１の有用な重量関係を利用して、前記一方の過量の計量部の被計量物を、前記他方の軽量の計量部に追加供給することで、２つの計量部を、共に適量の計量部にすることができる。
【００３９】
（９）本発明の計量装置の更に他の実施態様では、前記判定部は、前記所定重量範囲を定める下限重量と前記軽量であると判定された計量部の被計量物の重量との重量差、及び、前記所定重量範囲を定める上限重量と前記過量であると判定された計量部の被計量物の重量との重量差を判定するものであり、前記報知部は、前記軽量であると判定された計量部及び前記過量であると判定された計量部を、前記判定部によって判定された前記重量差に応じてそれぞれ報知する。
【００４０】
この実施態様によると、所定重量範囲の下限重量と軽量の計量部の被計量物の重量との重量差、及び、所定重量範囲の上限重量と過量の計量部の被計量物の重量との重量差が報知されるので、作業者は、軽量の計量部における被計量物の不足量、及び、過量の計量部における被計量物の過剰量を認識することができ、軽量の計量部及び過量の計量部を、適量の計量部にするために必要な被計量物の調整重量を認識できることになり、効率的に適量の計量部にすることができる。
【００４１】
（１０）本発明の計量装置の別の実施態様では、前記複数の各計量部は、前記被計量物が供給される計量皿を有し、前記複数の各報知部は、前記計量皿の近傍に配置される表示灯であり、当該計量装置が、複数の前記計量皿に供給される被計量物の重量を種々組合せた組合せ重量が、許容重量範囲となる前記計量皿の適量組合せを選択する組合せ演算を行って、前記適量組合せの計量皿を、前記表示灯で報知することが可能な組合せ秤である。
【００４２】
この実施態様によると、組合せ演算を行う組合せ秤を、その複数の計量皿毎の計量部として、組合せ演算によらない個別の計量を行うことが可能となる。これによって、当該計量装置を、組合せ秤として使用することができる一方、例えば、個数単位で取り扱うことが困難であって、かつ、付着性を有する被計量物を計量する場合には、組合せ演算を行わない、複数の計量皿毎の個別の計量部を有する計量装置として使用することができる。
【発明の効果】
【００４３】
本発明によれば、複数の計量部毎に、個別に計量を行って、所定重量範囲の被計量物とすることができ、組合せ演算を行って計量する場合のように、所定重量範囲となる適量組合せに選択された複数の計量部の被計量物を、１つに集める作業が不要となり、例えば、個数単位で取り扱うことが困難であって、かつ、付着性を有する被計量物のように、１つに集める作業に手間がかかる被計量物であっても、効率的に計量することができる。
【００４４】
しかも、上皿秤等の計量装置のように１つの計量部で重量表示を見ながら計量する場合のように、作業者自身が所定重量範囲になったか否かを目視確認する必要がなく、また、複数の計量部でそれぞれ計量するので、効率的に計量することができる。
【００４５】
更に、軽量の計量部及び過量の計量部の内、それら計量部を適量な計量部にするために、有用な重量関係が成立する計量部については、それが報知されるので、作業者は、有用な重量関係が成立している軽量の計量部及び過量の計量部を認識することができ、両計量部の被計量物の重量を調整することによって、両計量部の間に成立する有用な重量関係を利用して、効率的に適量の計量部にすることができる。
【図面の簡単な説明】
【００４６】
【図１】本発明の一実施形態に係る計量装置を示す図であり、（ａ）は平面図、（ｂ）は側面図、（ｃ）は正面図である。
【図２】図１の計量装置のブロック図である。
【図３】図１の計量装置の動作説明に供するフローチャートである。
【図４】図１の計量装置の動作説明に供するフローチャートである。
【図５】本発明の他の実施形態に係る計量装置を示す図であり、（ａ）は平面図、（ｂ）は側面図である。
【図６】図５の計量装置のブロック図である。
【発明を実施するための形態】
【００４７】
以下、本発明の実施形態を図面に基づいて詳細に説明する。
【００４８】
図１（ａ）は、本発明の一実施形態に係る計量装置の平面図であり、図１（ｂ）は、その側面図であり、図１（ｃ）は、その正面図である。また、図２は、図１の計量装置の構成を示すブロック図である。
【００４９】
この実施形態の計量装置は、被計量物の供給及び取り出し（排出）を、作業者が手作業によって行う手動式の組合せ秤１である。
【００５０】
この組合せ秤１は、被計量物が載せられる複数の計量皿２と、各計量皿２を支持して計量皿２上の被計量物の重量を検出するロードセル等の重量センサ３と、各計量皿２に個別的に対応する複数の報知部としての複数の表示灯４と、低い箱状の本体フレーム５と、この本体フレーム５の長手方向の一端側に配置された制御ユニット６とを備えている。
【００５１】
複数の計量皿２は、本体フレーム５の長手方向に沿って、２列に並んで配置されており、この実施形態では、各列が６個の計量皿２でそれぞれ構成されている。各計量皿２の近傍に配置される各表示灯４は、例えば３色ＬＥＤ（発光ダイオード）を用いて構成される。
【００５２】
制御ユニット６は、その前面に表示部７を備えると共に、入力キーを有する入力部８を備えている。なお、表示部７と入力部８とは、タッチパネル式として一体に構成してもよい。
【００５３】
この制御ユニット６は、マイクロコンピュータ等によって構成された制御部２０を備えており、この制御部２０は、後述のように判定部２１としての機能を有すると共に、組合せ演算部２２としての機能を有する、この制御部２０は、重量センサ３からのアナログ重量信号を、デジタル重量信号に変換する図示しないＡ／Ｄ変換回路や表示灯４を駆動する表示灯駆動回路等を内蔵している。
【００５４】
この実施形態の組合せ秤１は、後述の単独計量運転モードが設定されていない通常運転モードのときには、従来の組合せ秤と同様に、組合せ演算を行うものである。
【００５５】
すなわち、通常運転モードでは、作業者が各計量皿２に被計量物を載せると、各計量皿２の被計量物の重量が重量センサ３によって検出されて、制御ユニット６に与えられ、制御ユニット６の制御部２０は、各計量皿２の重量値に基づいて組合せ演算を行う。そして、被計量物の重量を種々組合せた合計重量である組合せ重量が、所定重量範囲であって、かつ、目標組合せ重量に等しいかまたは最も近い重量となる適量組合せの計量皿２を選択し、その適量組合せに選択された各計量皿２の近傍の各表示灯４を点灯させる。これによって、作業者は、表示灯４が点灯している各計量皿２から被計量物をそれぞれ取り出して１つのトレー等の容器に集め、プラスチックフィルム等で容器をラッピングして定量パックを生産する。
【００５６】
この実施形態では、被計量物が、例えば、カットねぎのような刻み野菜、ポテトサラダのような惣菜類といった個数単位で取り扱うのが困難であって、かつ、付着性を有する被計量物の場合には、作業者は、入力部８を操作して、組合せ演算を行わない単独計量運転モードを設定して計量を行う。
【００５７】
この単独計量運転モードの設定では、所定重量範囲を定める上限重量値と下限重量値とを設定し、更に、この実施形態では、後述の補完関係の計量皿を表示するモード等を併せて設定する。
【００５８】
この単独計量運転モードでは、制御ユニット６の制御部２０は、組合せ演算は行わず、計量皿２毎に、被計量物の重量が、所定重量範囲の適量、所定重量範囲未満の軽量、所定重量範囲を超える過量のいずれであるかを判定し、判定結果に応じて、対応する表示灯４を点灯して作業者に報知する。
【００５９】
なお、被計量物は、付着性を有するので、作業者は、計量皿２上に、トレー等の容器を載置し、この容器に、被計量物を載せる、すなわち、供給する。容器の重量は、予め風袋重量として補正する。
【００６０】
この実施形態では、計量皿２上の被計量物の重量が、適量であるときには、「緑色」、軽量であるときには「赤色」、過量であるときには「橙色」で表示灯４をそれぞれ点灯するようにしている。
【００６１】
ここでは、被計量物として、刻み野菜であるカットねぎを例に挙げて、単独計量運転モードにおける作業者の基本的な作業手順の例を説明する。
【００６２】
作業者は、予め、トレー等の容器の重量を、風袋重量として補正し、組合せ秤１の各計量皿２に各容器を載置する。
【００６３】
被計量物であるカットねぎが多量に収納されている収納容器（図示せず）からカットねぎを掴んで、各計量皿２上の空の容器に載せる、すなわち、供給する。各計量皿２の重量が重量センサ３によって検出されて、制御ユニット６に与えられる。制御ユニット６の制御部２０は、各計量皿２のカットねぎの重量値に基づいて、所定重量範囲に対して、軽量、適量、過量のいずれであるかを判定し、その判定結果に応じて、各計量皿２に対応する各表示灯４を、「赤色」（軽量）、「緑色」（適量）、「橙色」（過量）のいずれかで点灯させる。
【００６４】
作業者は、「緑色」（適量）で点灯した、適量のカットねぎの入った容器を計量皿２から取り出し、別の空の容器を計量皿２に載せ、この空の容器にカットねぎを供給する。適量のカットねぎが入った容器は、例えば、他の作業者によって、プラスチックフィルム等でラッピングされて定量パックの商品となる。
【００６５】
作業者は、「赤色」（軽量）で点灯した、重量不足のカットねぎの入った容器に対して、「橙色」（過量）で点灯した、過剰重量のカットねぎの入った容器からカットねぎの一部を掴んで追加供給し、あるいは、上記収納容器に収納されているカットねぎを掴んで追加供給する。
【００６６】
作業者は、「橙色」（過量）で点灯した、過剰重量のカットねぎの入った容器のカットねぎを掴んで、上記ように「赤色」（軽量）で点灯した、重量不足のカットねぎの入った容器へ追加供給し、あるいは、掴んだカットねぎを、上記収納容器に戻す。
【００６７】
このようにして、作業者は、経験と勘によって、「赤色」（軽量）で点灯した、重量不足のカットねぎの入った容器に対して、適当な量のカットねぎを追加供給する一方、「橙色」（過量）で点灯した、過剰重量のカットねぎの入った容器から適当な量のカットねぎを取除いて、「緑色」（適量）で点灯するように被計量物の重量を調整する。「緑色」（適量）で点灯した容器は、計量皿２から取り出してラッピングして定量パックの商品とする一方、空の計量皿２には、別の容器を載置してカットねぎを供給する。
【００６８】
このように計量皿２毎、すなわち、容器毎に、適量のカットねぎが入った定量パックとすることができ、これによって、組合せ演算を行って計量する場合のように、所定重量範囲となる適量組合せに選択された複数の容器の内の１つの容器に、他の容器のカットねぎを、残らないようにきれいに取り出して前記１つの容器に集めるといった手間のかかる作業が不要となる。したがって、カットねぎのような刻み野菜、ポテトサラダのような惣菜類といった個数単位で取り扱うことが困難で、かつ、付着性を有する被計量物の定量パックの生産に好適である。
【００６９】
また、複数の各計量皿２でそれぞれ個別に計量され、適量となった計量皿２は、表示灯４によって報知されるので、上皿秤等の計量装置のように１つの計量皿で重量表示を見ながら計量する場合のように、作業者自身が所定重量範囲になったか否かを目視確認する必要がなく、複数の計量皿２で効率的に計量することができる。
【００７０】
更に、この実施形態では、計量作業の効率を一層高めるために、次のようにしている。
【００７１】
すなわち、制御ユニット６の制御部２０は、複数の計量皿２の内、軽量の計量皿２の被計量物の重量と、過量の計量皿２の被計量物の重量との間に、当該軽量の計量皿２及び当該過量の計量皿２を、適量の計量皿２とするために有用な重量関係が成立するか否かを判定し、有用な重量関係が成立するときには、その重量関係が成立する、前記軽量の計量皿２及び前記過量の計量皿２を、作業者に報知する。
【００７２】
具体的には、前記有用な重量関係は、軽量の計量皿２の被計量物の重量と、過量の計量皿２の被計量物の重量とを加算した加算重量の１／２が、所定重量範囲となる、第１の有用な重量関係である。
【００７３】
この第１の有用な重量関係が成立する場合には、軽量の計量皿２の被計量物の重量をｘ（ｇ）、過量の計量皿２の被計量物の重量をｙ（ｇ）とし、下限重量値をＬＬ（ｇ）、上限重量値をＨＬ（ｇ）とすると、次式が成立する。
【００７４】
ＬＬ≦（ｘ＋ｙ）／２≦ＨＬ
被計量物がカットねぎの場合に、下限重量値ＬＬを、例えば、５０ｇ、上限重量値ＨＬを、例えば、５１．５ｇすると、所定重量範囲は、５０ｇ以上、５１．５ｇ以下となる。
【００７５】
第１の有用な重量関係は、上記のように、軽量の計量皿２の被計量物の重量と、過量の計量皿２の被計量物の重量とを加算した加算重量の１／２が、所定重量範囲となるのであるから、軽量の計量皿２の被計量物の重量と、過量の計量皿２の被計量物の重量とを加算した加算重量は、所定重量範囲の２倍の重量、すなわち、適量の計量皿２の２つ分の重量となる。
【００７６】
つまり、第１の有用な重量関係が成立する、軽量の計量皿２と過量の計量皿２とでは、過量の計量皿２の被計量物の一部を取り出して、軽量の計量皿２に移し替えることによって、両計量皿２を、共に適量の計量皿２にできることになる。
【００７７】
このように過量の計量皿２の被計量物の一部を、軽量の計量皿２に移し替えることによって、両計量皿２が共に適量となる一組（２つ）の計量皿を、以下では、「補完関係にある計量皿」という場合がある。
【００７８】
制御ユニット６の制御部２０では、第１の有用な重量関係が成立する補完関係にある計量皿２が存在するときには、対応する一組（２つ）の表示灯４を点滅表示して報知するようにしている。
【００７９】
この実施形態では、制御ユニット６の入力部８を操作して、補完関係の計量皿２を表示する表示モードが設定されているときには、補完関係にある、軽量の計量皿２の表示灯４が、「赤色」で点滅し、過量の計量皿２の表示灯４が、「橙色」で点滅する。なお、単独計量運転モードを設定することによって、補完関係の計量皿２を表示する表示モードを設定しなくても、補完関係の計量皿２を表示するようにしてもよい。
【００８０】
作業者は、補完関係にある２つの計量皿２を認識できるので、「橙色」（過量）で点滅している計量皿２の容器に載っているカットねぎが適量となるように、その一部を取り出して、「赤色」（軽量）で点滅している計量皿２の容器に移し替える。これによって、「赤色」で点滅していた軽量の計量皿２の被計量物の重量と、「橙色」で点滅していた過量の計量皿２の被計量物の重量とが、共に適量となり、いずれの計量皿２の表示灯４も「緑色」で点灯する。
【００８１】
このように補完関係にある計量皿２の１組の表示灯４を、点滅表示させることによって、作業者は、過量の計量皿２のカットねぎの適当な量を、軽量の計量皿２に移すだけで、２個の計量皿２のカットねぎの重量を、共に適量にできることになり、計量作業の効率が一層向上する。
【００８２】
更に、この実施形態では、補完関係にある計量皿２の組が、複数組あったときには、その表示の態様を選択できるようにしている。すなわち、補完関係を１組だけ表示する補完関係１組表示モードを、上記入力部８を操作して設定したときには、補完関係にある複数組の計量皿２の内、最も距離が近接した位置ある補完関係の計量皿２に対応する一組の表示灯４を点滅させる。これによって、作業者は、「橙色」で点滅している計量皿２の容器のカットねぎの適当な量を掴んで、それと近接した位置にある、「赤色」で点滅している計量皿２の容器に移し替えればよく、作業を効率的に行うことができる。
【００８３】
なお、補完関係にある複数組の計量皿２の内、最も近接した位置ある補完関係の計量皿２の被計量物が適量となって容器が計量皿２から取り出されると、表示灯４が消灯し、補完関係にある複数組の計量皿２の内、次に近接した位置にある補完関係の計量皿２の一組の表示灯４が点滅表示され、同様に、補完関係の計量皿２が無くなるまで点滅表示される。
【００８４】
補完関係にある計量皿２の組が、複数組あった場合に、補完関係１組表示モードが設定されていないときには、補完関係にある複数組の計量皿２の表示灯４の全てを点滅させる。この場合、組毎に点滅周期を異ならせ、同じ組の点滅周期は同じとする。例えば、補完関係にある計量皿２の組が、２組あるときには、一方の組の表示灯４の点滅周期は短くし、他方の組の表示灯４の点滅周期は長くする。
【００８５】
これによって、作業者は、「橙色」（過量）で点滅周期が短い（または長い）表示灯４の計量皿２のカットねぎの適当な量を取り出して、「赤色」（軽量）で点滅周期が短い（または長い）表示灯４の計量皿２に移し替えればよく、計量作業を効率的に行うことができる。
【００８６】
図３及び図４は、上記実施形態の単独計量運転モードの動作説明に供するフローチャートである。
【００８７】
先ず、電源がＯＮされたか否かを判断し（ステップＳ１）、電源がＯＮされると、イニシャライズ処理、具体的には、制御ユニット６の制御部２０を初期化し、表示灯４を順番に点灯して、使用者が、組合せ秤１が故障していないか容易にチェックできるようにし、また、組合せ秤１が安定した時点で、自動で零点補正を行う（ステップＳ２）。
【００８８】
作業者は、入力部８を操作して、単独計量運転モードを設定すると共に、所定重量範囲を規定する下限重量値、上限重量値、及び、補完関係にある計量皿を表示する表示モード等を設定する（ステップＳ３）。
【００８９】
次に、各計量皿２について処理を繰り返すための変数ｋを初期値「１」にセットし（ステップＳ４）、変数ｋに対応する計量皿２（ｋ）の計量値を読み込み（ステップＳ５）、計量皿２（ｋ）の計量値の安定判別処理を行う（ステップＳ６）。この安定判別処理では、例えば、一定時間の間において計量値が変化しなかった時に安定と判別する。この安定判別処理によって、計量皿２（ｋ）の計量値が安定しているか否かの判断を行う（ステップＳ７）。
【００９０】
ステップＳ７で計量値が安定していると判断したときには、零点補正キーがＯＮされたか否かを判断し（ステップＳ８）、零点補正キーがＯＮされたときには、計量値は、零点補正が可能な零点補正範囲であるか否かを判断し（ステップＳ１３）、零点補正範囲であるときには、計量皿２（ｋ）の零点補正処理を行ってステップＳ１２に移り（ステップＳ１５）、零点補正範囲でないときには、零点が大きくずれる何らかの異常であるとして、計量皿２（ｋ）の零点補正エラー表示を行ってステップＳ１２に移る（ステップＳ１９）。
【００９１】
上記ステップＳ８において、零点補正キーがＯＮされていないときには、風袋引きキーがＯＮされたか否かを判断し（ステップＳ９）、風袋引きキーがＯＮされたときには、計量皿２（ｋ）の風袋引き処理を行ってステップＳ１２に移る（ステップＳ１６）。
【００９２】
上記ステップＳ９において、風袋引きキーがＯＮされていないときには、計量値が、載荷検出点以上であるか否かを判断し（ステップＳ１０）、載荷検出点以上でないときには、計量皿２（ｋ）には、被計量物がない空の状態であるとしてステップＳ１１に移り、計量皿２（ｋ）の表示灯４を消灯してステップＳ１２に移る。
【００９３】
上記ステップＳ１０において、計量値が載荷検出点以上であるときには、計量値が下限重量値未満であるか否か、すなわち、軽量であるか否かを判断し（ステップＳ１７）、下限重量値未満であるときには、計量皿２（ｋ）の被計量物が軽量であることを示す「赤色」で表示灯４を点灯してステップＳ１２に移る（ステップＳ１８）。ステップＳ１７において、下限値未満でないときには、計量値が、下限値以上であって、上限値以下、すなわち、所定重量範囲の適量であるか否かを判断し（ステップＳ２０）、所定重量範囲であるときには、計量皿２（ｋ）の被計量物が適量であることを示す「緑色」で表示灯４を点灯してステップＳ１２に移る（ステップＳ２１）。ステップＳ２０において、所定重量範囲でないときには、過量であるとして、計量皿２（ｋ）の被計量物が過量であることを示す「橙色」で表示灯４を点灯してステップＳ１２に移る（ステップＳ２２）。
【００９４】
ステップＳ１２では、変数ｋをインクリメントしてステップＳ１３に移り、ステップＳ１３では、変数ｋが、計量皿２の総数（ｎ＋１）に達したか否かを判断し、達していないときには、次の計量皿２の処理のために、ステップＳ５に戻り、達したときには、図４のステップＳ２３に移る。
【００９５】
ステップＳ２３では、補完関係の計量皿を表示する表示モードが設定されているか否かを判断し、補完関係の計量皿を表示する表示モードであるときには、上記のように、各計量皿２の被計量物の重量、上限重量値、及び、下限重量値に基づいて、補完関係の計量皿２を探す処理を行い（ステップＳ２４）、補完関係の計量皿２の組があるか否かを判断し（ステップＳ２５）、補完関係の計量皿２の組がないときには、図３のステップＳ５に戻る。
【００９６】
ステップＳ２５において、補完関係の計量皿２の組があるときには、補完関係の計量皿２の組が、複数組あるか否かを判断し（ステップＳ２６）、複数組ないときには、補完関係にある一組の計量皿２に対応する一組の表示灯４を、「橙色」と「赤色」でそれぞれ点滅させて、図３のステップＳ５に戻る（ステップＳ３０）。
【００９７】
ステップＳ２６において、補完関係の計量皿２の組が複数組あるときには、補完関係の計量皿を１組表示する表示モードが設定されているか否かを判断し（ステップＳ２７）、補完関係の計量皿を１組表示する表示モードが設定されているときには、補完関係の計量皿２の複数組の内、過量の計量皿２と軽量の計量皿２とが最も近接した位置にある計量皿２の組に対応する一組の表示灯４を、「橙色」と「赤色」でそれぞれ点滅させて、図３のステップＳ５に戻る（ステップＳ２８）。
【００９８】
ステップＳ２７において、補完関係の計量皿を１組表示する表示モードが設定されていないときには、補完関係の計量皿２の複数組の組毎に、対応する一組の表示灯４を、点滅周期を異ならせて、「橙色」と「赤色」でそれぞれ点滅させて、図３のステップＳ５に戻る。
【００９９】
図５（ａ）は、本発明の他の施形態の計量装置１３の平面図であり、図５（ｂ）は、その側面図であり、また、図６は、図５の計量装置１３の構成を示すブロック図であり、上記実施形態に対応する部分には、同一の参照符号を付す。
【０１００】
この実施形態の計量装置１３は、手動式の組合せ秤１ａと、外部秤として上皿秤１２とを備えている。
【０１０１】
組合せ秤１ａは、上記実施形態の組合せ秤１と同様の機能を有しており、従来の組合せ秤と同様に組合せ演算を行える共に、上記の単独計量運転モードの実行が可能である。更に、この組合せ秤１ａでは、後述のように、外部秤である上皿秤１２と連係した単独計量運転を行う連係単独計量運転モードの実行が可能である。
【０１０２】
上皿秤１２は、被計量物が載せられる計量皿１４と、計量皿１４を支持し、計量皿１４上の被計量物の重量を計量するためのロードセル等からなる重量センサ１５と、重量センサ１５により計量された被計量物の重量を取得し、その重量を表示パネル（図示せず）に表示させる制御装置１６とを備えている。
【０１０３】
上皿秤１２の制御装置１６は、組合せ秤１ａの制御ユニット６ａの制御部２０ａと無線または有線で通信可能に構成されており、計量皿１４に載せられている被計量物の重量の計量値が安定し、その安定した計量値が変化する度にその計量値を、組合せ秤１ａの制御ユニット６ａの制御部２０へ送信する。
【０１０４】
この実施形態の組合せ秤１ａでは、上記実施形態と同様に、被計量物が、例えば、カットねぎのような個数単位で取り扱うことが困難であって、かつ、付着性を有する被計量物の場合には、制御ユニット６ａの入力部８を操作して、外部秤と連係した単独計量運転モードである連係単独計量運転モードを設定することができる。この連係単独軽量運転モードにおいても、上記実施形態と同様の単独計量運転モードと同様の動作を行うことができる。
【０１０５】
この連係単独軽量運転モードでは、外部秤である上皿秤１２に、組合せ秤１ａの計量皿２に供給する被計量物、例えば、カットねぎを多量に収納した収納容器（図示せず）を載置し、上皿秤１２では、収納容器自体の重量を風袋重量として補正し、収納されているカットねぎの重量を計量し、計量した重量値を組合せ秤１ａの制御ユニット６ａに送信する。
【０１０６】
制御ユニット６ａの制御部２０ａでは、上皿秤１２から送信される重量値に基づいて、重量値が減少したときには、その減少重量を、作業者によって、収納容器から取り出されたカットねぎの重量であって、計量皿２へ供給されるカットねぎの供給重量として算出する。
【０１０７】
制御ユニット６ａの制御部２０は、収納容器から取り出されて計量皿２へ供給されるカットねぎの供給重量と、複数の計量皿２の内、軽量の計量皿２のカットねぎの重量との間に、当該軽量の計量皿２を、適量の計量皿２とするために有用な第２の有用な重量関係が成立するか否かを判定し、第２の有用な重量関係が成立するときには、前記軽量の計量皿２を作業者に報知するようにしている。
【０１０８】
具体的には、前記第２の有用な重量関係とは、収納容器から取り出されて計量皿２へ供給されるカットねぎの供給重量と、軽量の計量皿２のカットねぎの重量とを加算した加算重量が、所定重量範囲、すなわち、適量となる重量関係である。
【０１０９】
つまり、第２の有用な重量関係が成立する軽量の計量皿２は、当該計量皿２に、収納容器から取り出したカットねぎを追加供給することによって、適量の計量皿２となる。
【０１１０】
この実施形態では、作業者が、収納容器からカットねぎを取り出した場合に、第２の有用な重量関係が成立する軽量の計量皿２があるときには、その軽量の計量皿２に対応する表示灯４を、軽量を示す「赤色」の点灯から、収納容器から取り出したカットねぎの供給先を示す「青色」の点灯に切替える。
【０１１１】
このように、作業者が、収納容器からカットねぎを取り出すと、第２の有用な重量関係が成立する軽量の計量皿２があるときには、その軽量の計量皿２の表示灯４が、「赤色」（軽量）の点灯から、供給先を示す「青色」の点灯へ切替わるので、作業者は、取り出したカットねぎを、「青色」で点灯している軽量の計量皿２に追加供給し、これによって、軽量の計量皿２が適量となり、その表示灯４が、「青色」の点灯から「緑色」（適量）の点灯に切替わる。
【０１１２】
作業者は、「緑色」（適量）の点灯に切替わった表示灯４に対応する計量皿２から容器を取り出してラッピングして定量パックの商品とし、空の計量皿２には、別の容器を載置してカットねぎを供給する。
【０１１３】
上記のように、作業者が、収納容器からカットねぎを取り出すと、その取り出したカットねぎを追加供給することによって適量となる軽量の計量皿２があるときには、その計量皿２の表示灯４が、「赤色」（軽量）から「青色」の点灯に切替わるので、作業者は、取り出したカットねぎを、「青色」で点灯する表示灯４の計量皿２に追加供給することによって、適量の計量皿２とすることができる。
【０１１４】
また、この実施形態では、上記の補完関係の計量皿を表示する表示モードでは、制御ユニット６ａの制御部２０ａは、収納容器から取り出されて計量皿２へ供給されるカットねぎの供給重量と、複数の計量皿２の内、２つの軽量の計量皿２のカットねぎの各重量との間に、当該２つの軽量の計量部を、適量の計量皿２とするために有用な第３の有用な重量関係が成立するか否かを判定し、第３の有用な重量関係が成立するときには、第３の有用な重量関係が成立する、２つの軽量の計量皿２を作業者に報知する。
【０１１５】
具体的には、前記第３の有用な重量関係とは、収納容器から取り出されて計量皿２へ供給されるカットねぎの供給重量と、２つの軽量の計量皿２のカットねぎの各重量とを加算した加算重量の１／２が、所定重量範囲となる重量関係である。
【０１１６】
この第３の有用な重量関係では、収納容器から取り出したカットねぎを、前記２つの軽量の計量皿２の内、いずれか一方の計量皿２に追加供給すると、この一方の計量皿２が過量の計量皿２となり、この過量の計量皿２のカットねぎの重量と、前記２つの軽量の計量皿２の他方の計量皿２のカットねぎの重量とを加算した加算重量の１／２が、所定重量範囲の重量となる、すなわち、前記２つの計量皿２は、上記補完関係にある計量皿２となる。
【０１１７】
この実施形態では、作業者が、収納容器からカットねぎを取り出した場合に、第３の有用な重量関係が成立する２つの軽量の計量皿２があるときには、その２つの軽量の計量皿２に対応する２つの表示灯４を、軽量を示す「赤色」の点灯から、収納容器から取り出したカットねぎの供給先を示す「青色」の点灯に切替える。
【０１１８】
このように、作業者が、収納容器からカットねぎを取り出すと、第３の有用な重量関係が成立する２つの軽量の計量皿２があるときには、その２つの軽量の計量皿２の表示灯４が、「赤色」（軽量）の点灯から、供給先を示す「青色」の点灯へ切替わるので、作業者は、取り出したカットねぎを、「青色」で点灯している２つの軽量の計量皿２のいずれか一方の計量皿２に追加供給する。
【０１１９】
これによって、一方の計量皿２が過量になると共に、この一方の計量皿２と、軽量の他方の計量皿２とは、補完関係にある計量皿２となる。したがって、前記一方の計量皿２の表示灯４は、「橙色」（過量）で点滅を始め、前記他方の計量皿２の表示灯４は、赤色「軽量」で点滅を始める。
【０１２０】
これによって、上記実施形態と同様に、作業者は、「橙色」（過量）で点滅している計量皿２のカットねぎの適当な量を、「赤色」（軽量）で点滅している計量皿２に移し替えて、共に適量の計量皿２とすることができる。
【０１２１】
このように収納容器からカットねぎを取り出して、「青色」の計量皿２に追加供給することによって、補完関係の計量皿２とし、補完関係の計量皿において、カットねぎの重量を調整することによって、２つの適量の計量皿２とすることができるので、計量作業の効率が一層向上する。
【０１２２】
なお、上記では、作業者が、収納容器からカットねぎを取り出して、第３の有用な重量関係が成立する２つの軽量の計量皿２があるときには、その２つの軽量の計量皿２の表示灯４を、いずれも「青色」の点灯へ切替えたが、一方の表示灯４のみを「青色」の点灯に切替えるようにしてもよい。
【０１２３】
［その他の実施形態］
本発明の他の実施形態として、制御ユニット６，６ａの制御部２０，２０ａでは、軽量の計量皿２の被計量物の重量と、所定重量範囲を定める下限重量値との重量差、及び、過量の計量皿２の被計量物の重量と、所定重量範囲を定める上限重量値との重量差をそれぞれ算出し、その重量差に応じて、表示灯４を点灯させる輝度レベルや色の濃淡を異ならせるようにしてもよい。
【０１２４】
例えば、重量差が小さいときには、輝度レベルを高く（低く）し、重量差が大きいときには、輝度レベルを低く（高く）するようにしてもよい。
【０１２５】
これによって、作業者は、軽量の計量皿２の被計量物の不足重量の程度、あるいは、過剰の計量皿２の被計量物の過剰重量の程度を認識することができ、軽量の計量皿２に追加すべき被計量物の重量、あるいは、過量の計量皿２から取り除くべき被計量物の重量を認識できることになり、適量の計量皿２にするための重量の調整がし易くなり、計量作業の効率が向上する。
【０１２６】
上記実施形態では、組合せ秤に適用して説明したが、本発明の計量装置は、組合せ秤に限らず、上記単独計量運転モードが実行できる計量装置であればよい。
【０１２７】
上記実施形態の表示灯４の点灯や点滅の色は、一例であり、他の色でよいのは勿論であり、また、表示灯４の数も上記に限らず、増やしてもよい。
【０１２８】
また、表示灯４による報知に限らず、例えば、小さな液晶表示部等を設け、報知内容を表示してもよく、更に、視覚的な報知に限らず、音声メッセージ等の聴覚的な報知としてもよく、それらを組合せてもよい。
【符号の説明】
【０１２９】
１，１ａ      組合せ秤
２            計量皿
３，１５      重量センサ
４            表示灯
６，６ａ      制御ユニット
７            表示部
８            入力部
１２          上皿秤
１３          計量装置
１６          制御装置
２０，２０ａ  制御部
２１，２１ａ  判定部
【図１】
0006644984.tif 000002
【図２】
0006644984.tif 000003
【図３】
0006644984.tif 000004
【図４】
0006644984.tif 000005
【図５】
0006644984.tif 000006
【図６】
0006644984.tif 000007